【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
問い合わせ呼セッション制御機能（Ｉ−ＣＳＣＦ）エンティティであって、
ユーザ機器（ＵＥ）のインターネットプロトコル（ＩＰ）マルチメディアプライベート識別子（ＩＭＰＩ）とともにｒｅｇｉｓｔｅｒメッセージを、ＩＰマルチメディアサブシステム（ＩＭＳ）のサービスドメイン集約化（ＳｅＤｏＣ）用に拡張されたモバイル交換局（ＭＳＣ）サーバから受信する手段と、
前記ＵＥがインバウンドローミングＵＥであることを、前記ＩＭＰＩに含まれる移動体ネットワーク識別コード（ＭＮＣ）および移動体国識別コード（ＭＣＣ）の比較に基づいて検出する手段と、
ＩＭＳ集約化サービス（ＩＣＳ）相互接続機能（ＩＣＳ−ＩＷＦ）エンティティに、前記ＭＮＣおよびＭＣＣにより示される事業者ネットワークがＩＭＳローミング合意を締結しているか否かを問い合わせる手段と、
当該Ｉ−ＣＳＣＦエンティティを含むネットワークとの間にＩＭＳローミング合意もサービスレベル合意も締結されていない場合に、回路交換（ＣＳ）認証手順を扱うサービング呼セッション制御機能（Ｓ−ＣＳＣＦ）エンティティのアドレスを受信する手段と、
前記ｒｅｇｉｓｔｅｒメッセージはインバウンドローミングＵＥに関するものであるという指示子とともに前記ｒｅｇｉｓｔｅｒメッセージを、前記Ｓ−ＣＳＣＦエンティティに向けて転送する手段と、を備える、Ｉ−ＣＳＣＦエンティティ。
【請求項２】
インターネットプロトコル（ＩＰ）マルチメディアサブシステム（ＩＭＳ）集約化サービス（ＩＣＳ）相互接続機能（ＩＣＳ−ＩＷＦ）エンティティであって、
問い合わせ呼セッション制御機能（Ｉ−ＣＳＣＦ）エンティティから、前記Ｉ−ＣＳＣＦエンティティがｒｅｇｉｓｔｒａｔｉｏｎメッセージとともに受信するＩＰマルチメディアプライベート識別子（ＩＭＰＩ）に含まれる移動体ネットワーク識別コード（ＭＮＣ）および移動体国識別コード（ＭＣＣ）により示される事業者ネットワークがＩＭＳローミング合意を締結しているか否かという問い合わせを受信する手段と、
当該ＩＣＳ−ＩＷＦエンティティを含むネットワークとの間にＩＭＳローミング合意もサービスレベル合意（ＳＬＡ）も締結されていない場合に、回路交換（ＣＳ）認証手順を扱うサービング呼セッション制御機能（Ｓ−ＣＳＣＦ）エンティティを選択する手段と、
前記Ｓ−ＣＳＣＦエンティティのアドレスを前記Ｉ−ＣＳＣＦエンティティに提供する手段と、を備える、ＩＣＳ−ＣＳＣＦエンティティ。
【請求項３】
インターネットプロトコル（ＩＰ）マルチメディアサブシステム（ＩＭＳ）集約化サービス（ＩＣＳ）のための通信システムであって、問い合わせ呼セッション制御機能（Ｉ−ＣＳＣＦ）エンティティとＩＣＳ相互接続機能（ＩＣＳ−ＩＷＦ）エンティティとを備え、
前記Ｉ−ＣＳＣＦエンティティは、
ユーザ機器（ＵＥ）のＩＰマルチメディアプライベート識別子（ＩＭＰＩ）とともにｒｅｇｉｓｔｅｒメッセージを、ＩＰマルチメディアサブシステムのサービスドメイン集約化（ＳｅＤｏＣ）用に拡張されたモバイル交換局（ＭＳＣ）サーバから受信する手段と、
前記ＵＥがインバウンドローミングＵＥであることを、前記ＩＭＰＩに含まれる移動体ネットワーク識別コード（ＭＮＣ）および移動体国識別コード（ＭＣＣ）の比較に基づいて検出する手段と、
前記インバウンドローミングＵＥの検出に基づいて、前記ＭＮＣおよびＭＣＣにより示される事業者ネットワークがＩＭＳローミング合意を締結しているか否かを、前記ＩＣＳ−ＩＷＦエンティティに問い合わせる手段と、を備え、
前記ＩＣＳ−ＩＷＦエンティティは、
当該ＩＣＳ−ＩＷＦエンティティを含むネットワークとの間にＩＭＳローミング合意もサービスレベル合意（ＳＬＡ）も締結されていない場合に、回路交換（ＣＳ）認証手順を扱うサービング呼セッション制御機能（Ｓ−ＣＳＣＦ）エンティティを選択する手段と、
前記Ｓ−ＣＳＣＦエンティティのアドレスを前記Ｉ−ＣＳＣＦエンティティに提供する手段と、を備え、
前記Ｉ−ＣＳＣＦエンティティはさらに、
前記ｒｅｇｉｓｔｅｒメッセージはインバウンドローミングＵＥに関するものであるという指示子とともに前記ｒｅｇｉｓｔｅｒメッセージを、前記Ｓ−ＣＳＣＦエンティティに向けて転送する手段を備える、通信システム。
【請求項４】
問い合わせ呼セッション制御機能（Ｉ−ＣＳＣＦ）エンティティに使用される制御方法であって、
ユーザ機器（ＵＥ）のインターネットプロトコル（ＩＰ）マルチメディアプライベート識別子（ＩＭＰＩ）とともにｒｅｇｉｓｔｅｒメッセージを、ＩＰマルチメディアサブシステム（ＩＭＳ）のサービスドメイン集約化（ＳｅＤｏＣ）用に拡張されたモバイル交換局（ＭＳＣ）サーバから受信することと、
前記ＵＥがインバウンドローミングＵＥであることを、前記ＩＭＰＩに含まれる移動体ネットワーク識別コード（ＭＮＣ）および移動体国識別コード（ＭＣＣ）の比較に基づいて検出することと、
ＩＭＳ集約化サービス（ＩＣＳ）相互接続機能（ＩＣＳ−ＩＷＦ）エンティティに、前記ＭＮＣおよびＭＣＣにより示される事業者ネットワークがＩＭＳローミング合意を締結しているか否かを問い合わせることと、
前記Ｉ−ＣＳＣＦエンティティを含むネットワークとの間にＩＭＳローミング合意もサービスレベル合意も締結されていない場合に、回路交換（ＣＳ）認証手順を扱うサービング呼セッション制御機能（Ｓ−ＣＳＣＦ）エンティティのアドレスを受信することと、
前記ｒｅｇｉｓｔｅｒメッセージはインバウンドローミングＵＥに関するものであるという指示子とともに前記ｒｅｇｉｓｔｅｒメッセージを、前記Ｓ−ＣＳＣＦエンティティに向けて転送することと、を含む、制御方法。
【請求項５】
インターネットプロトコル（ＩＰ）マルチメディアサブシステム（ＩＭＳ）集約化サービス（ＩＣＳ）相互接続機能（ＩＣＳ−ＩＷＦ）エンティティに使用される制御方法であって、
問い合わせ呼セッション制御機能（Ｉ−ＣＳＣＦ）エンティティから、前記Ｉ−ＣＳＣＦエンティティがｒｅｇｉｓｔｒａｔｉｏｎメッセージとともに受信するＩＰマルチメディアプライベート識別子（ＩＭＰＩ）に含まれる移動体ネットワーク識別コード（ＭＮＣ）および移動体国識別コード（ＭＣＣ）により示される事業者ネットワークがＩＭＳローミング合意を締結しているか否かという問い合わせを受信することと、
前記ＩＣＳ−ＩＷＦエンティティを含むネットワークとの間にＩＭＳローミング合意もサービスレベル合意（ＳＬＡ）も締結されていない場合に、回路交換（ＣＳ）認証手順を扱うサービング呼セッション制御機能（Ｓ−ＣＳＣＦ）エンティティを選択することと、
前記Ｓ−ＣＳＣＦエンティティのアドレスを前記Ｉ−ＣＳＣＦエンティティに提供することと、を含む、制御方法。
【請求項６】
インターネットプロトコル（ＩＰ）マルチメディアサブシステム（ＩＭＳ）集約化サービス（ＩＣＳ）のための通信システムに使用される制御方法であって、
前記通信システムの問い合わせ呼セッション制御機能（Ｉ−ＣＳＣＦ）エンティティが、ユーザ機器（ＵＥ）のＩＰマルチメディアプライベート識別子（ＩＭＰＩ）とともにｒｅｇｉｓｔｅｒメッセージを、ＩＰマルチメディアサブシステムのサービスドメイン集約化（ＳｅＤｏＣ）用に拡張されたモバイル交換局（ＭＳＣ）サーバから受信することと、
前記Ｉ−ＣＳＣＦエンティティが、前記ＵＥがインバウンドローミングＵＥであることを、前記ＩＭＰＩに含まれる移動体ネットワーク識別コード（ＭＮＣ）および移動体国識別コード（ＭＣＣ）の比較に基づいて検出することと、
前記Ｉ−ＣＳＣＦエンティティが、前記インバウンドローミングＵＥの検出に基づいて、前記ＭＮＣおよびＭＣＣにより示される事業者ネットワークがＩＭＳローミング合意を締結しているか否かを、前記通信システムのＩＣＳ相互接続機能（ＩＣＳ−ＩＷＦ）エンティティに問い合わせることと、
前記ＩＣＳ−ＩＷＦエンティティが、前記ＩＣＳ−ＩＷＦエンティティを含むネットワークとの間にＩＭＳローミング合意もサービスレベル合意（ＳＬＡ）も締結されていない場合に、回路交換（ＣＳ）認証手順を扱うサービング呼セッション制御機能（Ｓ−ＣＳＣＦ）エンティティを選択することと、
前記ＩＣＳ−ＩＷＦエンティティが、前記Ｓ−ＣＳＣＦエンティティのアドレスを前記Ｉ−ＣＳＣＦエンティティに提供することと、
前記Ｉ−ＣＳＣＦエンティティが、前記ｒｅｇｉｓｔｅｒメッセージはインバウンドローミングＵＥに関するものであるという指示子とともに前記ｒｅｇｉｓｔｅｒメッセージを、前記Ｓ−ＣＳＣＦエンティティに向けて転送することと、を含む、制御方法。